(57)【要約】【課題】  オブジェクト相互の調和を考慮したカラー修正を目的とした知識データベースを備え、支援情報を提供することのできるデザイン支援システムを提供する。【解決手段】  入力された画像データに基づいてカラー画像データを出力するデザイン支援装置１２と、オブジェクトが配置される場所におけるオブジェクトの色調整ルールおよびオブジェクト毎の色調整推奨案を記憶した知識データベース６０と、を備えたデザイン支援システムであって、デザイン支援装置は、画像データからオブジェクト毎にその位置座標および特徴データを抽出する画像特徴データ取得部４２と、調和修正を選択する調和修正選択部４３と、調和修正が選択された場合にオブジェクトを判別するオブジェクト判別部４５と、オブジェクト判別部によって判別されたオブジェクト毎に前記知識データベースに基づいてオブジェクト相互の調和を考慮した色調整推奨案を出力する色調整部４６とを備えた。【選択図】      図２
2005165437.tif 000002
【特許請求の範囲】
【請求項１】
入力された画像データに基づいてカラー画像データを出力するデザイン支援装置と、
オブジェクトが配置される場所におけるオブジェクトの色調整ルールおよびオブジェクト毎の色調整推奨案を記憶した知識データベースと、を備えたデザイン支援システムであって、
前記デザイン支援装置は、前記画像データからオブジェクト毎にその位置座標および特徴データを抽出する画像特徴データ取得部と、調和修正を選択する調和修正選択部と、調和修正が選択された場合にオブジェクトを判別するオブジェクト判別部と、オブジェクト判別部によって判別されたオブジェクト毎に前記知識データベースに基づいてオブジェクト相互の調和を考慮した色調整推奨案を出力する色調整部と、
を備えたことを特徴とするデザイン支援システム。
【請求項２】
前記デザイン支援システムは更に、入力された画像データから抽出されるオブジェクトに対して色値を与えるＬＵＴ群を記憶したＬＵＴ記憶手段を備え、
前記色調整部は、前記オブジェクト判別部によってオブジェクト毎に前記ＬＵＴ記憶手段から選択したＬＵＴに従って与えられた色値を前記知識データベースに基づいて判定して色調整推奨案を出力するようになしたことを特徴とする請求項１に記載のデザイン支援システム。
【請求項３】
入力された画像データに基づいてカラー画像データを出力するデザイン支援装置と、
入力された画像データから抽出されるオブジェクトに対して色値を与えるＬＵＴ群を記憶したＬＵＴ記憶手段と、
オブジェクトが配置される場所におけるオブジェクトの色調整ルールおよびオブジェクト毎の色調整推奨案を記憶した知識データベースと、を備えたデザイン支援システムであって、
前記デザイン支援装置は、前記画像データからオブジェクト毎にその位置座標および特徴データを抽出する画像特徴データ取得部と、調和修正を選択する調和修正選択部と、調和修正が選択された場合にオブジェクトを判別するオブジェクト判別部と、前記オブジェクト判別部によってオブジェクト毎に前記ＬＵＴ記憶手段から選択したＬＵＴに従って与えられた色値を前記知識データベースに基づいて判定して色調整推奨案を出力する色調整部と、
前記色調整部によって出力された推奨案を適用した画像データ、あるいは、調和修正選択部により調和修正が選択されなかった場合、または、色調整部による推奨案の適用が指示されなかった場合に前記画像特徴データ取得部により抽出されたオブジェクトの位置座標および特徴データに基づいてＬＵＴ記憶手段から選択したＬＵＴによって与えられた色値を適用して出力画像データを作成する出力画像データ作成部とを備えたことを特徴とするデザイン支援システム。
【請求項４】
前記色調整部は、更に、前記オブジェクト判別部によってオブジェクト毎に前記ＬＵＴ記憶手段から選択したＬＵＴに基づいて与えられた色値を、前記知識データベースに基づいて判定し、オブジェクト相互の調和がとれていない場合に警告情報を出力することを特徴とする請求項２または３に記載のデザイン支援システム。
【請求項５】
前記調和修正選択部は、操作部からの選択信号に基づいて前記画像特徴データ取得部の出力をオブジェクト判別部または出力データ作成部に送出することを特徴とする請求項２または３に記載のデザイン支援システム。
【発明の詳細な説明】
【技術分野】
【０００１】
本発明は、それに限られるものではないが、インテリアやエクステリアなど種々の分野における画像デザイナーを支援するためのデザイン支援システムに関するものであり、特に、インテリアやエクステリアなど特定の該当分野におけるオブジェクト相互の調和を考慮したカラー修正を目的とした知識データベースを備え、デザイナーに支援情報を提供するようにしたデザイン支援システムに関するものである。
【背景技術】
【０００２】
近年、ＤＴＰ（デスクトップパブリッシング）の普及は目覚しく、小さなオフィスや個人でも利用できるようになって、パンフレット、カタログ、雑誌などもＤＴＰで作成されるようになってきたが、これらのドキュメントでは、読み手に効果的に意図を伝えるために、画像のデザインが重要である。
【０００３】
また、最近は、デジタルカメラなどで撮影した画像を簡単にコンピュータ上に入力し、フォトショップ（Ｐｈｏｔｏｓｈｏｐ）などの画像編集ソフトを利用してトリミングやトーン補正などを行い、あるいは、イラストレータ（Ｉｌｌｕｓｔｒａｔｏｒ）などのアプリケーションを利用してイラストを作成することによって、ソフトウェア上で簡単に画像デザインが行えるようになってきた。
【０００４】
このような背景から、最近では各種の分野においてコンピュータによる画像作成技術や、造形や色彩に関する専門的な知識を十分に会得していない、一般的なデザイナーが画像デザインを行う機会が飛躍的に増大している。例えば、インテリアやエクステリアなどの分野においては、部屋の間取りや家具、カーテンや壁紙など、デザイナー（インテリアコーディネータ）がコンピュータを利用して画像を作成し、あるいは、デジタルカメラやスキャナでコンピュータに入力した画像を加工して作成したデザイン画像をもとに顧客等とコミュニケーションをとることがよく行われるようになってきている。
【０００５】
デザイナーが作成した画像を顧客等とのコミュニケーションの手段として使用する場合には、コンピュータに接続された表示装置に画像を表示し、あるいは、コンピュータに接続されたカラープリンタで印刷した印刷物を媒介とすることになる。ところで、インテリアやエクステリアなどの分野におけるデザイン画像には、部屋の間取りや家具、カーテンや壁紙、床や天井の素材など複数のオブジェクトが描画されるが、個々のオブジェクトのカラーはデザイナーが個々に指定を行うことになる。
【０００６】
しかし、一般の画像作成者にとっては、画像作成アプリケーションには選択可能な処理が多数あるため、それぞれの処理の効果を十分理解できず、各種技法を効果的に利用できないという問題がある。すなわち、一般の画像作成者は、自分がデザインし、撮影し、収集した画像が読み手にどのような印象を与えるかを十分理解できないため、ソフトウェア上で行った処理によって自分の意図が表現できなくなり、あるいは、作成した画像が結果的にデザイナーの意図とは反対の印象を与えてしまう場合が往々にして生じる。
【０００７】
従って、個々のオブジェクトの色等を決定するにあたって、デザイナーの意図を効果的に表現し、あるいは、顧客に好印象を与えるように画像全体をデザインすることは、造形や色彩に関する専門知識や、コンピュータによる画像作成技術に精通していない一般的なデザイナーにとっては極めて難しい作業となる。
【０００８】
一般的なデザイナーのデザイン作業を支援するための装置として、例えば、下記の特許文献１に開示された画像デザイン支援装置がある。この画像デザイン支援装置は、デザイン知識を持たない一般のデザイナーに対して、画像をデザインする際の明確かつ詳細な指針を与えることができ、一般のデザイナーが意図を効果的に伝える印象を持つように画像全体をデザインすることができるようにすることを目的としたものである。そしてこの画像デザイン支援装置において、デザイナーは、画像データベースから類似印象画像群（自分がデザインしようとする画像と類似した印象を有する画像）および対比印象画像群（自分がデザインしようとする画像と反対の印象を有する画像）を選択するように構成されている。
【０００９】
そして、画像デザイン支援装置の画像解析部で、各画像の明度平均、明暗のバランス、色度平均、寒色暖色のバランス、彩度平均などの視覚特徴量を算出する。さらに、装置のコラージュ画像作成部で、類似印象画像群と対比印象画像群の視覚特徴量の平均値の差が大きい視覚的特徴を２つ選択し、類似印象画像群および対比印象画像群のそれぞれの画像を、２次元のグラフとして表示部に表示するようにしたものである。
【００１０】
【特許文献１】特開平１０−１８８０２３号公報
【発明の開示】
【発明が解決しようとする課題】
【００１１】
上記特許文献１に開示された画像デザイン支援装置は、デザイナーがパンフレットやポスター等を作成する際に、デザイナーに対してどのような印字領域においてデザインの対象物（オブジェクト）をどのような位置に配置し、また、オブジェクトの配置位置によってどのような配色がよいかを支援情報として表示するようにしたものである。例えば、宣伝用のパンフレットやポスターのデザインの分野においては、色彩工学的に、観察者に対して訴求力のあるオブジェクトの配置位置や配色が求められる。このため、前記の画像デザイン支援装置は、デザイナーに対してオブジェクトの配置や配色を支援情報として表示するようにしたものである。
【００１２】
しかしながら、このような画像デザイン支援装置は、作成する画像データによっては必ずしも有効に利用できるものではない。例えば、インテリアやエクステリアの画像作成にあたって、オブジェクトは種々の家具やカーテンなどのインテリア用品や天井や床などの内装材などであり、これらはそれぞれのオブジェクトが配置される場所（玄関、リビング、ダイニングキッチン、寝室など）の性格により建築工学、色彩工学的に専門的な一般的ルール、推奨すべき色等があり、個々のオブジェクトを全体的に調和のとれた色にすることが好ましく、個々のオブジェクトに調和のとれていない配色をした場合には、観察者に不快感を与えてしまうという問題点があった。すなわち、特許文献１に開示されたデザイン支援装置は広告業などに携わるイラストレータに適したものであり、建築業などに携わるインテリアコーディネータに適するものではなかった。
【００１３】
もちろん、色彩感覚には個人差があり、また設計家の意図するモチーフなどもあり、個々のオブジェクトに個性ある色彩を配色することを排除するものではないが、建築工学、色彩工学的な専門的知識に精通していないデザイナーがごく一般的な観察者を対象とする画像データを作成する場合に、これらの専門知識に基づく支援システムを提供できることが好ましい。
【００１４】
本願の発明者は上記の問題点を解消すべく種々検討を重ねた結果、インテリアやエクステリアなど特定の該当分野におけるオブジェクト相互の調和を考慮したカラー修正を目的とした知識データベースを備え、デザイナーに支援情報を提供するようなせば、上記問題点を解消できることを見出し、本発明を完成するに至ったものである。
すなわち、本発明は、前記の問題点を解消することを課題とし、オブジェクト相互の調和を考慮したカラー修正を目的とした知識データベースを備え、デザイナーに支援情報を提供することのできるデザイン支援システムを提供することを目的とする。
【課題を解決するための手段】
【００１５】
前記課題を解決するために、本願の請求項１に係る発明は、入力された画像データに基づいてカラー画像データを出力するデザイン支援装置と、
オブジェクトが配置される場所におけるオブジェクトの色調整ルールおよびオブジェクト毎の色調整推奨案を記憶した知識データベースと、を備えたデザイン支援システムであって、
前記デザイン支援装置は、前記画像データからオブジェクト毎にその位置座標および特徴データを抽出する画像特徴データ取得部と、調和修正を選択する調和修正選択部と、調和修正が選択された場合にオブジェクトを判別するオブジェクト判別部と、オブジェクト判別部によって判別されたオブジェクト毎に前記知識データベースに基づいてオブジェクト相互の調和を考慮した色調整推奨案を出力する色調整部と、
を備えたことを特徴とする。
【００１６】
また、本願の請求項２に係る発明は、請求項１のデザイン支援システムが更に、入力された画像データから抽出されるオブジェクトに対して色値を与えるＬＵＴ群を記憶したＬＵＴ記憶手段を備え、
前記色調整部は、前記オブジェクト判別部によってオブジェクト毎に前記ＬＵＴ記憶手段から選択したＬＵＴに従って与えられた色値を前記知識データベースに基づいて判定して色調整推奨案を出力するようになしたことを特徴とする。
【００１７】
また、本願の請求項３に係る発明は、入力された画像データに基づいてカラー画像データを出力するデザイン支援装置と、
入力された画像データから抽出されるオブジェクトに対して色値を与えるＬＵＴ群を記憶したＬＵＴ記憶手段と、
オブジェクトが配置される場所におけるオブジェクトの色調整ルールおよびオブジェクト毎の色調整推奨案を記憶した知識データベースと、を備えたデザイン支援システムであって、
前記デザイン支援装置は、前記画像データからオブジェクト毎にその位置座標および特徴データを抽出する画像特徴データ取得部と、調和修正を選択する調和修正選択部と、調和修正が選択された場合にオブジェクトを判別するオブジェクト判別部と、前記オブジェクト判別部によってオブジェクト毎に前記ＬＵＴ記憶手段から選択したＬＵＴに従って与えられた色値を前記知識データベースに基づいて判定して色調整推奨案を出力する色調整部と、
前記色調整部によって出力された推奨案を適用した画像データ、あるいは、調和修正選択部により調和修正が選択されなかった場合、または、色調整部による推奨案の適用が指示されなかった場合に前記画像特徴データ取得部により抽出されたオブジェクトの位置座標および特徴データに基づいてＬＵＴ記憶手段から選択したＬＵＴによって与えられた色値を適用して出力画像データを作成する出力画像データ作成部とを備えたことを特徴とする。
【００１８】
また、本願の請求項４に係る発明は、請求項２または３の発明において、色調整部は、更に、前記オブジェクト判別部によってオブジェクト毎に前記ＬＵＴ記憶手段から選択したＬＵＴに基づいて与えられた色値を、前記知識データベースに基づいて判定し、オブジェクト相互の調和がとれていない場合に警告情報を出力することを特徴とする。
また、本願の請求項５に係る発明は、請求項２または３の発明において、調和修正選択部は、操作部からの選択信号に基づいて前記画像特徴データ取得部の出力をオブジェクト判別部または出力データ作成部に送出することを特徴とする。
【発明の効果】
【００１９】
請求項１に係る発明においては、入力された画像データから各オブジェクトの位置および特徴データを抽出し、知識データベースを参照してオブジェクト毎にオブジェクト相互の調和を考慮した色調整の推奨案を出力する色調整部を備えたものであるから、デザイナーは色調整部から出力された推奨案に従って容易に各オブジェクトの色修正を行うことができるようになる。
【００２０】
また、請求項２に係る発明においては、オブジェクト毎のＬＵＴ群を有するＬＵＴ記憶手段を備え、オブジェクト判別部によってオブジェクト毎に前記ＬＵＴ記憶手段から選択したＬＵＴに従って与えられた色値を前記知識データベースに基づいて判定して色調整推奨案を出力するものであるから、デザイナーは容易に各オブジェクトの色値を決定でき、色調整部から出力された推奨案に従って各オブジェクトの色修正を行うことができるようになる。
【００２１】
また、請求項３に係る発明においては、オブジェクトが配置される場所におけるオブジェクトの色調整ルールおよびオブジェクト毎の色調整推奨案を記憶した知識データベースを備え、入力された画像データから各オブジェクトの位置および特徴データを抽出し、色調整部により知識データベースの色調整ルールおよび色調整推奨案を参照して、オブジェクトの色値が相互に調和がとれているか否かを判定し、色調整の推奨案を出力するものであるからデザイナーは色調整部から出力された推奨案に従って容易に各オブジェクトの色修正を行うことができるようになる。
【００２２】
また、請求項４に係る発明においては、請求項２または３の発明において、色調整部は、更に、前記オブジェクト判別部によってオブジェクト毎に前記ＬＵＴ記憶手段から選択したＬＵＴに基づいて与えられた色値を、前記知識データベースに基づいて判定し、オブジェクト相互の調和がとれていない場合に警告情報を出力するものであるから、デザイナーは作成した画像データが色調整ルール、色調整の推奨案から外れていることを容易に認識することができ、その上であえて一般的なルールと異なる独自の色彩感覚の画像データを採用することができるようになる。
【００２３】
また、請求項５に係る発明においては、調和修正選択部は、操作部からの選択信号に基づいて前記画像特徴データ取得部の出力をオブジェクト判別部または出力データ作成部に送出するものであるから、デザイナーが調和修正を選択するか、選択しないかを任意に決定することができ、一般的なルールと異なる独自の色彩感覚の画像データを採用することができるようになる。
【発明を実施するための最良の形態】
【００２４】
以下、本発明の具体例を実施例及び図面を用いて詳細に説明する。図１は、本発明に係るデザイン支援システムの構成を示すブロック図、図２は、デザイン支援装置の要部を示すブロック図、図３は、ＬＵＴ記憶手段の概略構成を示す概念図、図４は、知識データベースの概略構成を示す概念図である。
【実施例】
【００２５】
本発明の実施例にかかるデザイン支援システム１０は、図１に示すようにパーソナルコンピュータ（ＰＣ）等で構成されるデザイン支援装置１２と、デザイン支援装置に画像データを入力するスキャナ２０やデジタルカメラ３０等の入力装置とから構成され、デザイン支援装置ＬＡＮ（Local Area Network）などのネットワーク１４を介してプリンタ装置７０、８０が接続される。デザイン支援装置１２にはプリンタドライバ４０が備えられており、入力された画像データを処理しカラー画像データをプリンタ７０、画像形成装置８０などに出力する。画像データはスキャナ２０やデジタルカメラ３０からデザイン支援装置１２に入力される他、デザイン支援装置１２上で種々の画像作成アプリケーションを使用して作成することもでき、また、スキャナ２０やデジタルカメラ３０はネットワーク１４を介してデザイン支援装置１２に接続される構成であってもよい。
【００２６】
図２はデザイン支援装置１２の要部であるプリンタドライバ４０の詳細な構成を示す図である。図２に示すようにデザイン支援装置１２のプリンタドライバ４０は、データ受信部４１、画像特徴データ取得部４２、調和修正選択部４３、オブジェクト判別部４５、色調整部４６、出力画像データ作成部４７、データ送信部４８とから構成されている。
【００２７】
データ受信部４１は、デザイン支援装置１２上で作成した画像データ、あるいは、スキャナ２０、デジタルカメラ３０などの入力手段から入力された画像データを受信するものであり、画像特徴データ取得部４２は、データ受信部４１で受信した画像データから家具や天井、床、カーテンなどのオブジェクトデータの切り出しと各オブジェクトの座標値（位置）を取得し、これらのオブジェクトデータを調和修正選択部４３に転送するものである。
【００２８】
調和修正選択部４３は、図示しない表示部にオブジェクト相互に調和のとれた色に修正するか否かをデザイナーに選択させる表示を行い、調和修正が選択されなかった場合は、オブジェクトデータを出力画像データ作成部４７に転送し、調和修正が選択された場合はオブジェクトデータをオブジェクト判別部４５に転送する。
【００２９】
調和修正が選択されずにオブジェクトデータが出力画像データ作成部４７に転送されると、該出力画像データ作成部４７は、ＬＵＴ記憶手段５０から標準のＬＵＴ（色変換テーブル）とそれぞれのオブジェクトに対応したＬＵＴを獲得し、受け取ったオブジェクトデータを色変換して（プリンタなどの出力機器用のカラースペースであるＣＭＹＫ値に変換して）オブジェクトの色値を決定する。ＬＵＴ記憶手段５０はハードディスク装置（ＨＤＤ）により構成されるものであり、図３に示すように標準ＬＵＴ５２、家具ＬＵＴ５３、カーテンＬＵＴ５９などのようにインテリアやエクステリア分野で使用される各オブジェクトに対応したＬＵＴ群５１を記憶したものである。
【００３０】
調和修正が選択された場合、オブジェクト判別部４５は調和修正選択部４３を介して受け渡されたオブジェクトデータに応じてＬＵＴ記憶手段５０から標準のＬＵＴ（色変換テーブル）とそれぞれのオブジェクトに対応したＬＵＴを獲得し、受け取ったオブジェクトデータを色変換して（プリンタなどの出力機器用のカラースペースであるＣＭＹＫ値に変換して）オブジェクトの色値を決定し、色調整部４６に転送する。色調整部４６は、知識データベース６０を参照し、各オブジェクトの色値の調和がとれるように色調整の推奨案を表示部（図示せず）に表示する。
【００３１】
知識データベース６０は、図４に示すようにオブジェクトが配置されるゾーンの性格による色調整ルールテーブル６１と各オブジェクトの色調整推奨案および合否基準を記憶した色調整推奨テーブル６２とから構成されている。色調整ルールテーブル６１は、色を明度（Ｌ：Lightness）／彩度（Ｃ：Chroma）／色相（Ｈ：Hue）に尺度化したマンセルシステムの色空間およびＬＣＨ色空間に基づいて各オブジェクトが配置されるゾーンの色調整ルールを記憶したものであり、色調整推奨テーブル６２は、各オブジェクト毎にそのオブジェクトが配置されるゾーンおよびオブジェクト毎の色調整推奨案とオブジェクトの色値が色調整ルールあるいは色調整推奨案に合っているか否かを判定するための合否基準をマンセルの色空間、および、ＬＣＨ色空間に基づいて記憶したものである。
【００３２】
例えば、色調整ルールテーブル６１について説明すると、建物の玄関や階段、リビングなどのゾーンはパブリック的な性格、ダイニングルームやキッチンなどのゾーンはセミパブリック的な性格、ベッドルームなどのゾーンはプライベート的な性格を有すると考えられる。パブリックゾーンに配置される家具やパブリックゾーンの壁、床、天井などの内装材の色は相互に統一性、調和がとれていることが好ましいため、マンセル色相環の色相（Ｈ）の最大差が３０°以下を保つことをルール化して色調整ルールテーブル６１に登録（図４のＨｕｅ＜３０°の記述を参照）してある。
【００３３】
また、色調整推奨テーブル６２について説明すると、オブジェクト毎にそのオブジェクトが配置されるゾーン区分（前述のパブリック、セミパブリック、プライベートの区分）が登録されており、また、各オブジェクトに対して推奨する色の条件（図４、色調整推奨テーブル６２の推奨欄参照）とオブジェクトの色値が、推奨する色の条件にあっているか否か（合否）を判定するための合否基準（図４、色調整推奨テーブル６２のＮＧ欄参照）が登録されている。
【００３４】
例えば、「玄関」はパブリックゾーンに属し、一般的には暖色系の色が推奨されるので、マンセル色相の５ＲＰから５Ｙの間の色を色調整推奨案（図の推奨欄参照）としている。そして、「玄関」の色値の合否基準（図のＮＧ欄参照）は訪問者を温かく受け入れるように高彩度の色は避け、ＬＣＨ色空間で彩度値Ｃが１００よりも大きいときには、全体の調和が図られていないと判断するように「Ｃ＞１００（ＬＣＨ色空間の彩度値）」を登録してある。
【００３５】
また、「階段」は明度差が小さいと段を踏み外す危険があるため、段の色の変わりめで明度差が「２」以下の場合は危険ありと判断するように「ΔＬ＜２（Δは２色間の明度差：ＬＣＨ色空間の明度Ｌ）を合否基準として登録し、推奨案は明度差ΔＬ５よりも大きい「ΔＬ＞５」を登録してある。同様にしてリビングの壁、天井、床、ダイニングルームカーテン、同テーブルクロス、ベッドルーム等についての色調整推奨案と合否基準が登録されている。
【００３６】
なお、以上の説明において、色調整ルールテーブル６１と色調整推奨テーブル６２はマンセルとＬＣＨの２つの色空間を利用して作成した色調整ルールおよび色調整推奨案、合否基準を記憶した知識データベースとしたが、マンセルシステムの全ての色をＬＣＨ色空間に置き換えることによりＬＣＨ色空間のみを利用した知識データベースとすることもできる。
【００３７】
次に、調和修正選択部４３で調和修正が選択されなかった場合の通常の画像データ作成と、調和修正が選択された場合の画像データ作成の手順を説明する。
【００３８】
「調和修正が選択されなかった場合」の説明。
デザイン支援装置１２あるいはスキャナ２０やデジタルカメラ３０から送られてきた入力画像データは、先ず、プリンタドライバ４０のデータ受信部４１に送られる。そして、データ受信部４１は受け取ったデータを画像特徴データ取得部４２に受け渡して、画像特徴データ取得部４２でソファー、テーブル、カーテン、天井、床などのオブジェクトデータの切り出しとオブジェクトの座標値を獲得する。その後、切り出したオブジェクトデータを含めたオブジェクトデータ（画像データ）を調和修正選択部４３に転送し、調和修正選択部４３は図示しない表示部に選択画面を表示する。
【００３９】
デザイナーが図示しない操作部から調和修正しない旨の選択入力をすると、調和修正選択部４３は、オブジェクトデータを含めた画像データを出力データ作成部４７に転送する。出力データ作成部４７はＬＵＴ記憶手段（ＨＤＤ）５０から標準のＬＵＴ５１とそれぞれのオブジェクトに対応した家具ＬＵＴ５３ないしカーテンＬＵＴ５９などのＬＵＴを獲得し、転送されたデータを出力機器用のカラースベースであるＣＭＹＫ値に変換し、データ送信部４８へ渡す。そして、データ送信部４８が出力データ作成部４７から受け取った画像データ（ＣＭＹＫデータ）をプリンタ７０、画像形成装置８０等に送信する。
【００４０】
「調和修正が選択された場合」の説明。
デザイナーが図示しない操作部から調和修正する旨の選択入力をすると、調和修正選択部４３は、オブジェクトデータをオブジェクト判別部４５に転送する。オブジェクト判別部４５ではＬＵＴ記憶手段（ＨＤＤ）５０のＬＵＴ群５１から標準のＬＵＴ５２とそれぞれのオブジェクトに対応した家具ＬＵＴ５３ないしカーテンＬＵＴ５９などのＬＵＴを獲得し、各オブジェクトにおける指定色の色値を獲得し、オブジェクトとオブジェクトの配置、色値のデータを色調整部４６に送る。色調整部４６は、これらのデータを元に調和しているかどうか判断するために知識データベース６０の色調整ルールテーブル６１、色調整推奨テーブル６２を参照する。
【００４１】
まず、オブジェクトがどの空間（ゾーン）にあるのものなのかを判断し、登録されている同じゾーンのものを見つけるとゾーンのルールに従って調和がとれているかを判断する。例えば、画像データにリビングルームの壁と天井と床のオブジェクトが含まれていたならば、壁オブジェクトは、「パブリックゾーン」であることを判定し、パブリックゾーンに登録されている全オブジェクトと比較して色相差を調べる。範囲内なら次のステップに進む。合否基準に照らしてＮＧである（合否基準に適合していない）場合は、デザイナーが選択した指定に従って、修正するかまたは不適合メッセージを画像データに付加する。
【００４２】
また、例えば、壁オブジェクトがパブリックゾーンの全てのオブジェクトに対して合否基準の範囲内ならば、オブジェクト固有の合否基準領域（ＮＧ領域）に入っているか判定し、不適合（ＮＧ）ならば推奨している範囲に色値を修正する。もし、壁の色値が天井より明るければ、天井の色より明度を下げて色値を修正する。そして、それぞれのオブジェクトデータの色値を変えた修正オブジェクトデータを出力データ作成部４７に転送する。
【００４３】
出力データ作成部４７は、修正されたオブジェクトデータおよびその他の画像データに対して、ＬＵＴ記憶手段（ＨＤＤ）５０から標準のＬＵＴ５２とそれぞれのオブジェクトに対応した家具ＬＵＴ５３ないしカーテンＬＵＴ５９などのＬＵＴを獲得し、転送された修正オブジェクトデータを出力機器用のカラースベースであるＣＭＹＫ値に変換し、データ送信部４８へ渡す。そして、データ送信部４８は出力データ作成部４７から受け取った画像データ（ＣＭＹＫデータ）をプリンタ７０、画像形成装置８０等に送信する。
【００４４】
「画像全体の調和が取れていない場合に警告を出す場合」の説明。
通常の処理と同様に、デザイン支援装置１２あるいはスキャナ２０やデジタルカメラ３０から送られてきた入力画像データは、先ず、プリンタドライバ４０のデータ受信部４１に送られる。そして、データ受信部４１は受け取ったデータを画像特徴データ取得部４２に受け渡して、画像特徴データ取得部４２でソファー、テーブル、カーテン、天井、床などのオブジェクトデータの切り出しとオブジェクトの座標値を獲得する。その後、切り出したオブジェクトデータを含めた画像データを調和修正選択部４３に転送し、調和修正選択部４３は図示しない表示部に選択画面を表示する。
【００４５】
デザイナーが図示しない操作部から調和修正はしないが、調和していない場合には警告を出す旨の選択入力をすると、調和修正選択部４３は、オブジェクトデータをオブジェクト判別部４５へ転送する。オブジェクト判別部４５は、ＬＵＴ記憶手段（ＨＤＤ）５０から標準のＬＵＴ５２とそれぞれのオブジェクトに対応した家具ＬＵＴ５３ないしカーテンＬＵＴ５９などのＬＵＴを獲得し、転送されたデータを出力機器用のカラースベースであるＣＭＹＫ値に変換し、指定色の色値を獲得し、オブジェクトとオブジェクトの配置、色値のデータを色調整部４６に送る。色調整部４６は、受け取ったオブジェクトとオブジェクトの配置、色値から調和が取れているかを調和修正選択された時と同様に知識データベース６０を参照して判断し、調和が取れていない場合に警告メッセージを画像データに付加して出力データ作成部４７に転送する。
【００４６】
以上説明したように、本発明に係るデザイン支援システムによれば、入力された画像データから各オブジェクトの位置および特徴データを抽出し、知識データベースを参照してオブジェクト毎にオブジェクト相互の調和を考慮した色調整の推奨案を出力する色調整部を備えたものであるから、専門的な知識を持たないデザイナーであっても色調整部から出力された推奨案に従って容易に各オブジェクトの色修正を行うことができるようになる。
【図面の簡単な説明】
【００４７】
【図１】本発明に係るデザイン支援システムの構成を示すブロック図である。
【図２】デザイン支援システムを構成するデザイン支援装置の要部を示すブロック図である。
【図３】ＬＵＴ記憶手段の概略構成を示す概念図である。
【図４】知識データベースの概略構成を示す概念図である。
【符号の説明】
【００４８】
１０・・・デザイン支援システム
１２・・・デザイン支援装置
１４・・・ネットワーク（ＬＡＮ）
２０・・・スキャナ
３０・・・デジタルカメラ
４０・・・プリンタドライバ
５０・・・ＬＵＴ記憶手段（ＨＤＤ）
５１・・・ＬＵＴ群
５２・・・標準ＬＵＴ
５３・・・家具ＬＵＴ
５９・・・カーテンＬＵＴ
６０・・・知識データベース
６１・・・色調整ルールテーブル
６２・・・色調整推奨テーブル
７０・・・プリンタ
８０・・・画像形成装置
４１・・・データ受信部
４２・・・画像特徴データ取得部
４３・・・調和修正選択部
４５・・・オブジェクト判別部
４６・・・色調整部
４７・・・出力画像データ作成部
４８・・・データ送信部
【図１】
2005165437.tif 000003
【図２】
2005165437.tif 000004
【図３】
2005165437.tif 000005
【図４】
2005165437.tif 000006